(57)【要約】【課題】グリル皿を傾けなくてもグリルケースから取り外せるようにした操作性のよいグリルを提供する。【解決手段】グリル皿２の底面奥側に下方へ突出した凸部２ａを設け、グリルケース１の底面手前側には前記グリル皿２を引き出した際に前記グリル皿凸部２ａが当接する位置に上方へ逆Ｖ字状に突出した上下方向の弾性を有するストッパー金具３を設け、前記グリル皿２を取り外す際に、前記グリル皿凸部２ａが前記ストッパー金具３に当接した後、更に荷重を加えて引き出すと、前記グリル皿凸部２ａが前記ストッパー金具３を押し下げて、前記グリル皿２を取り外すことが可能なこうせいとしてある。【選択図】図１
2006314590.tif 000002
【特許請求の範囲】
【請求項１】
グリルケースに対してグリル皿が引き出し自在に構成されたグリルであって、前記グリル皿の底面奥側に下方へ突出した凸部を設け、前記グリルケースの底面手前側には前記グリル皿を引き出した際に前記グリル皿の底面凸部が当接し引き出し量を規制する上方へ逆Ｖ字状に突出したストッパー金具を設け、前記ストッパー金具は、上下方向への弾性を有することを特徴とするグリル。
【請求項２】
ストッパー金具は、グリルケースの底面手前側に設けた開口から突出するように配設し、通常の引き出し力でグリル皿を引き出したときグリル皿の底面凸部が前記ストッパー金具に当接して引き出し量が規制され、さらに引き出し荷重が加えられると前記ストッパー金具の逆Ｖ字状突出部が開口内に押し下げられ前記グリル皿がグリルケースから取り出せるようにした請求項１記載のグリル。
【発明の詳細な説明】
【技術分野】
【０００１】
本発明は、グリル扉を引き出し自在に備えているグリルに関するものである。
【背景技術】
【０００２】
図３（ａ）（ｂ）（ｃ）は、従来のグリルを示すものである。図３（ａ）（ｂ）（ｃ）に示すように、グリルケース1に対してグリル皿2が引き出し自在に構成されている。グリル皿2を引き出した際、グリル皿2がグリルケース1から容易に脱落しないよう、グリルケース１の底面手前側に、上方へ逆Ｖ字状に突出したストッパー部１ｃを設け、グリル皿２の底面奥側には、引き出した際グリルケース1のストッパー部１ｃに当接する位置に、下方へ突出した凸部2ａを設けている。また、グリル皿２は、グリルケース底面のビード部１a上を摺動すると共に、グリルケース庫内の側面に設けたガイド部１ｂにガイドされ、グリル皿摺動時に上下方向に大きくがたつかないよう構成されている（例えば、特許文献１参照）。
【特許文献１】特開２００１-２５８７５４号公報
【発明の開示】
【発明が解決しようとする課題】
【０００３】
しかしながら、前記従来の構成では、グリル皿を掃除する際などグリル皿をグリルケースから取り外す場合、グリル皿底面奥側の凸部が、グリルケース底面手前側のストッパー部を乗り越えなければならず、乗り越えるためには、グリル皿の手前側を上方へ傾けながら引き抜く必要がある。その際、グリル皿を傾けすぎると、グリル皿内の水の量によってはグリル皿内から水が零れてしまうという課題を有し、特に、調理後の高温状態で高齢者の方が前記取り出し作業を踏まえてグリル皿の掃除を行うことは極めて困難な作業を強いることになり、この点からも改善が必要なことである。
【０００４】
本発明は、前記従来の課題を解決するもので、グリル皿を傾けることなくグリルケースから取り外せるようにし、簡単にグリル皿の掃除を行うことができるグリルを提供することを目的とする。
【課題を解決するための手段】
【０００５】
前記従来の課題を解決するために本発明のグリルは、グリルケースの底面手前側に設けたストッパー部に上下方向の弾性を持たせたものである。
【０００６】
これにより、グリル皿をグリルケースから取り外すよう引き出した際、グリル皿の底面奥側の凸部にストッパー部が当接した後、更にグリル皿に水平方向の引き抜き荷重を加えると、ストッパー部がその弾性により下方へ撓み、グリル皿を取り外すことができる。グリル皿を傾けなくても取り外すことが可能なため、グリル皿から水が零れるのを防ぐことができる。
【発明の効果】
【０００７】
本発明のグリルは、グリル皿を取り外す際、グリル皿を傾けなくても取り外すことが可能なため、グリル皿から水が零れるのを防ぐことができる。
【発明を実施するための最良の形態】
【０００８】
第１の発明は、グリルケースに対してグリル皿が引き出し自在に構成されたグリルであって、グリル皿の底面奥側に下方へ突出した凸部を設け、グリルケースの底面手前側には前記グリル皿を引き出した際に前記グリル皿の底面凸部が当接し引き出し量を規制するする上方へ逆Ｖ字状に突出したストッパー金具を設け、前記ストッパー金具は上下方向への弾性を有する構成としたことを特徴とするものである。
【０００９】
これにより、グリル皿は通常の引き出し操作で規制された位置で止めることができ、さらに引き出し荷重を加えることで規制された位置を超えてグリル皿を移動させることができるため、掃除等でグリル皿を取り外す際、グリル皿を傾けなくても取り外すことが可能となり、グリル皿から水が零れるのを防ぐことができるとともに、安全に取り出し作業を行うことができる。
【００１０】
第２の発明は、ストッパー金具は、グリルケースの底面手前側に設けた開口から突出するように配設し、通常の引き出し力でグリル皿を引き出したときグリル皿の底面凸部が前記ストッパー金具に当接して引き出し量が規制され、さらに引き出し荷重が加えられると前記ストッパー金具の逆Ｖ字状突出部が開口内に押し下げられ前記グリル皿がグリルケースから取り出せるようにしたことを特徴とするものである。
【００１１】
これにより、グリル皿の引き出し作業と取り出し作業を水平方向の移動操作だけで行うことができ、前記引き出し作業時の引き出し量の規制と取り出し作業時の引き出し規制の解除を簡単な構成で実現することができる。
【００１２】
以下、本発明の実施の形態について図面を参照して説明する。なお、本実施の形態によって本発明が限定されるものではない。
【００１３】
（実施の形態）
図１はグリルケース１からグリル皿２を引き出す過程の状態を示すもので、（ａ）はグリル皿２の引き出し量が規制された位置まで引き出した状態を示す図、（ｂ）は引き出し量規制位置からさらにグリル皿２を引き出した状態を示す図、（ｃ）はグリル皿２をグリルケース１から取り出し可能な位置まで引き出した状態を示す図である。
【００１４】
図１（ａ）において、グリルケース１内においてグリル皿２は、グリルケース１の底面に設けられたビード部１ａにグリル皿２が載置され、前記グリル皿２に連結されたグリル扉の把手により前記ビード部１ａを摺動して引き出し自在に移動する。また、グリルケース１側面にはグリル皿２の上下方向のがたつきを規制するためのガイド部１ｂが設けられている。
【００１５】
そして、前記グリル皿２の引き出し量を規制するために、グリル皿２の底面奥側には下方へ突出した凸部２ａが設けられ、グリルケース１の底面手前側には上方に突出した逆Ｖ字状のストッパー金具３が設けられている。このグリル皿２の凸部２ａがグリルケース１のストッパー金具３に当接することで通常の引き出し時における引出し量の規制を行っている。
【００１６】
また、グリルケース１の底面手前側のストッパー金具３の取付位置には、開口１ｃが設けられ、この開口１ｃから前記逆Ｖ字状のストッパー金具３が上方に突出するように取り付けられている。このストッパー金具３はバネ用ステンレス鋼帯などの弾力性を有する材料で構成されており、その後端はグリルケース１に溶接などで締結されている。そして、前記開口１ｃより逆Ｖ字状の部分が突出したり沈み込んだり自在に可動するようになっている。
【００１７】
以上のように構成されたグリルについて、以下その動作、作用を説明する。
【００１８】
図１（ａ）において、通常の引き出し力でグリル皿２を引き出していくと、グリル皿２の底面奥側の凸部２ａがストッパー金具３の逆Ｖ字状の部分に当接し、グリル皿２の引き出し量が規制される。通常の調理作業ではこの状態で調理物を載せ、再度グリル皿２を元の状態に戻すことで調理が行われる。
【００１９】
そして、調理終了後にグリル皿２の掃除を行う場合は、上記同様、グリル皿２をストッパー金具３に当接する位置まで引き出し、さらにグリル皿２に引き出す荷重を加えると、図１（ｂ）に示すように、グリル皿２の凸部２ａがストッパー金具３の逆Ｖ字状の部分を開口１ｃの下方へ押し下げるため、従来のようにグリル皿２を斜め上方に持ち上げてストッパー部を乗り越える作業を必要とせず、手前に引き出すだけで図１（ｃ）に示すように、グリル皿２をグリルケース１から取り外すことができる。
【００２０】
このように、本実施の形態においては、調理終了後の高温状態にあるグリル皿２を取り出す場合でも、手前側に引き出すだけでグリルケース１から容易に取り出すことができるため、高齢者の方でも安全に作業を行うことができ、利便性の向上が図れるものである。
【００２１】
また図２は、グリルケース１の底面に設けたストッパー金具３とグリル皿２の底面に設けた凸部２ａの関連を示す斜視図であり、ストッパー金具３はグリルケース１の底面両側に設けた開口１ｃに臨ませて配設してある。
【産業上の利用可能性】
【００２２】
本発明のグリルは、グリルケースに対してグリル皿が引き出し自在に構成されたグリル装置全般に適用できる。
【図面の簡単な説明】
【００２３】
【図１】（ａ）（ｂ）（ｃ）本発明の実施の形態におけるグリルのグリル皿を引き出す過程の状態を示す概略断面図
【図２】本発明の実施の形態におけるグリルの概略斜視図
【図３】（ａ）（ｂ）（ｃ）従来のグリルのグリル皿を引き出す過程の状態を示す概略断面図
【符号の説明】
【００２４】
１  グリルケース
２  グリル皿
２ａ  グリル皿凸部
３  ストッパー金具
【図１】
2006314590.tif 000003
【図２】
2006314590.tif 000004
【図３】
2006314590.tif 000005